(57)【要約】【課題】新たな設備工事を必要としない遠隔で監視の可能な遠隔監視システムを提供する。【解決手段】遠隔監視システムは、照明器具３０と照明器具３０に一体的に取り付けられた監視カメラ１１および内蔵携帯電話１５とを含む。監視カメラ１１は被監視物を撮影できる位置に設けられる。内蔵携帯電話１５は外部の携帯電話２０からの呼び出しに応答して、起動され、監視カメラ１１の撮影した被監視物の画像を外部の携帯電話２０にインターネット２５を介して送信する。【選択図】　　　　図２
2004096443.tif 000002
【特許請求の範囲】
【請求項１】
被監視場所の照明器具に組み込まれた画像伝送端末と、
前記画像伝送端末に組み込まれた監視カメラおよび内蔵携帯電話とを含み、
前記監視カメラは前記被監視物を撮影し、前記内蔵携帯電話は外部の携帯電話からの呼び出しに応じて、前記監視カメラの撮影した画像を前記外部の携帯電話に送信する送信手段を有する、遠隔監視システム。
【請求項２】
前記送信手段は、インターネットを介して画像を送信する、請求項１に記載の遠隔監視システム。
【請求項３】
前記画像伝送端末は前記外部の携帯電話からの呼び出しに応じて作動する、請求項１に記載の遠隔監視システム。
【請求項４】
前記監視カメラによる撮影は必要に応じて照明器具を制御して行われる、請求項１に記載の遠隔監視システム。
【請求項５】
前記外部の携帯電話は予め前記画像伝送端末に登録される、請求項１に記載の遠隔監視システム。
【発明の詳細な説明】
【０００１】
【発明の属する技術分野】
この発明は遠隔監視システムに関し、特に、照明器具に組み込まれた監視カメラを用いた遠隔監視システムに関する。
【０００２】
【従来の技術】
この発明に興味のある遠隔監視システムがたとえば、特開２００１−２９８５４８号公報に開示されている。同公報によれば、遠隔監視システムは、被監視場所の所望箇所を撮像する撮像手段と、該撮像手段の作動制御を行ない、該撮像手段２により撮像された画像データを送信用データに変換すると共に、該送信用データを公衆電話回線網に送信する制御手段と、公衆電話回線網を介して前記送信用データを受信する遠隔地側通信手段と、該遠隔地側通信手段から受信した送信用データを表示用データに変換して画像を表示する表示手段とを備えている。
【０００３】
【発明が解決しようとする課題】
従来の遠隔監視システムは上記のように構成されていた。被監視場所を撮像するカメラを個別に設備として設けるため、新たな設備工事が必要であるという問題があった。
【０００４】
また公衆回線への接続や、送信のための特別な装置や、受信画像を携帯電話からのデータを加工して表示するなどの特別な表示装置を必要とするなど設置場所が限定されると言った問題があった。
【０００５】
この発明は上記のような問題点を解決するためになされたもので、新たな設備工事を必要としない遠隔監視システムを提供することを目的とする。
【０００６】
【課題を解決するための手段】
この発明に係る遠隔監視システムは、被監視場所の照明器具に組み込まれた画像伝送端末と、画像伝送端末に組み込まれた監視カメラおよび内蔵携帯電話とを含み、監視カメラは被監視物を撮影し、内蔵携帯電話は外部の携帯電話からの呼び出しに応じて、監視カメラの撮影した画像を前記外部の携帯電話に送信する送信手段を有する。
【０００７】
この発明においては、監視カメラおよびその画像を送信する携帯電話は画像伝送端末として照明器具に一体的に取り付けられているため、照明器具として設備が可能である。
【０００８】
また、外部の携帯電話上に直接画像を映し出すため、新たな設備工事を必要としない遠隔監視システムを提供することができる。
【０００９】
被監視物として寝たきり老人、自家用車、家庭内の主要部等を設定することにより、所望の画像をいつでも好きなときに監視できる。
【００１０】
好ましくは、送信手段は、インターネットを介して画像を送信する。
【００１１】
インターネットを介して画像を送信するため、リアルタイムに任意の位置で所望の画像を見ることができる。
【００１２】
さらに好ましくは、画像伝送端末は外部の携帯電話からの呼び出しに応じて作動する。
【００１３】
画像伝送端末を作動させる外部の携帯電話からの呼び出しは、インターネットメールにより行なっても良い。また、外部の携帯電話は予め画像伝送端末に登録しておくのが好ましい。この場合、携帯電話の番号やインターネットのメールアドレスを登録しておくのが好ましい。
【００１４】
さらに好ましくは、監視カメラによる撮影は必要に応じて照明器具を制御して行われる。監視カメラによる撮影を照明器具を制御して行うため、夜間など照明が必要なときには、遠隔地の携帯電話より照明をオンとすることができる。
【００１５】
【発明の実施の形態】
以下、この発明の一実施の形態を図面を参照して説明する。図１はこの発明の一実施の形態にかかる遠隔監視システムの概念を示す模式図である。以下の実施の形態では、外部の携帯電話からの要求として、被監視物の画像撮影とその送信方法について説明する。
【００１６】
図１を参照して、遠隔監視システムは、照明器具３０に一体的に組み込まれた画像伝送端末１０と、画像伝送端末１０に組み込まれた監視カメラ１１と、外部の携帯電話２０と交信するためのカード型の内蔵携帯電話１５とを含む。
【００１７】
監視カメラ１１はたとえば病気の老人等の様子を撮影する。外部の携帯電話２０からの画像伝送要求をカード型の内蔵携帯電話１５で受けると、監視カメラ１１の撮影した画像データを内蔵携帯電話１５から要求元の外部の携帯電話２０に送信する。
【００１８】
図２は図１に示した画像伝送端末１０の構成を示すブロック図である。図２を参照して、画像伝送端末１０は被監視対象物を撮影する監視カメラ１１と、カード型の内蔵携帯電話１５と、カード型の内蔵携帯電話１５またはメモリカード１８を接続するためのカードインターフェース１４と、照明器具３０のオン／オフを行うための照明オン／オフリレー１６と、監視カメラ１１、カードインターフェイス１４および照明オン／オフリレー１６を制御するためのコントロールロジック１２と、後に説明する、顧客の電話番号を含む各種情報を格納するメモリ１３と、上記した各要素全体を制御するコントロールマイコン１７とを含む。
【００１９】
ここで利用するカードの型としては任意のものを使用できるが、汎用性を考慮して、ＣＦ（Ｃｏｍｐａｃｔ　Ｆｌａｓｈ）型が好ましい。
【００２０】
外部の携帯電話２０とカード型の内蔵携帯電話１５とはインターネット２５を経由してデータの送受信を行う。
【００２１】
次に遠隔監視システムの動作について説明する。まずこの遠隔監視システムにおいては、システムを利用する顧客の電話番号の登録を予め行う。このとき、併せて、顧客ごとのメールアドレスも登録する。
【００２２】
これは、メモリカードをＰＣ、またはＰＤＡ（Ｐｅｒｓｏｎａｌ　Ｄａｔａ　Ａｓｓｉｓｔａｎｃｅ）に挿入し外部の携帯電話２０である、監視側携帯電話の番号およびメールアドレスを書き込み、そのカードを被監視側すなわち画像伝送端末１０のカードインターフェイス１４に挿入することにより行っても良い。
【００２３】
図３は遠隔監視システムの動作を説明するフローチャートである。図３を参照して、システムは監視側の外部携帯電話２０からの電話を待つ（ステップＳ１１、以下ステップを省略する）。電話があれば（Ｓ１１でＹＥＳ）、その電話番号がメモリ１３にあらかじめ登録された外部の携帯電話２０の番号と一致しているか否かを確認する（Ｓ１２）。
【００２４】
一致していれば（Ｓ１２でＹＥＳ）、外部の携帯電話２０からの要求で照明のオンを要求しているか否かを判断する（Ｓ１３）。照明の要求があれば（Ｓ１３でＹＥＳ）、照明器具をオンする（Ｓ１４）。照明器具のオンの要求が無ければ（Ｓ１３でＮＯ）、画像の撮影を行う（Ｓ１５）。その後、Ｓ１３で照明がオンされていれば照明をオフし（Ｓ１６）、ＢＭＰ（Ｂｉｔ　Ｍａｐ）などの携帯電話で認識できるフォーマットの適正サイズの画像に加工し（Ｓ１７）、あらかじめ登録されたメールアドレスにインターネットメールの添付ファイルとして伝送する（Ｓ１８）。
【００２５】
なお、このとき、撮影時間などのコメントを同時に送信してもよい。
【００２６】
これらの処理の終了後、再度外部の携帯電話２０からの電話を待つ（Ｓ１１）。
【００２７】
照明器具３０のオンの要求は、外部の携帯電話２０の呼び出し時間を長くすることで対応する。たとえば通常の通話時間を１通話音とすると、３通和音程度とする。
【００２８】
この実施の形態に置いては、遠隔監視システムは照明器具３０に一体的に装着するため、電源などの接続を考える必要はない。
【００２９】
また、上記実施の形態では、照明のオンのみを受け付けた場合について説明したが、これに限らず、着信番号が登録番号と一致していることを確認した段階（Ｓ１２でＹＥＳ）で、監視カメラ１１による撮影画像を送信し、その送信画面を参照して、撮影画像に応じて照明のオンおよび／またはオフを受け付けるようにしても良い。
【００３０】
なお、照明器具３０のオンオフを外部の携帯電話２０からの指示によることなく、監視カメラ１１の近くにセンサを設け、このセンサの出力に応じて自動的に照明器具３０をオンオフするようにしてもよい。
【００３１】
また、画像伝送装置１０を照明器具３０に一体化せず、単独としてもよい。この場合はＡＣアダプタ等の小容量のもので電力を供給できる。
【００３２】
次に、この発明の他の実施の形態について説明する。この発明の他の実施の形態に置いては、予め所定の位置にセンサを設け、そのセンサが何らかの変化（異常信号）を検知したときに、予め登録されたメールアドレスへセンサが設けられた位置を撮影する監視カメラ１１の画像を自動的に伝送するものである。
【００３３】
図４はこの場合の遠隔監視システムの全体構成を示すブロック図であり、先の実施の形態における図２に対応する。図４を参照して、この場合は、先の実施の形態の図２に対してコントロールロジック１２に接続されたセンサ１９が追加されている。それ以外の構成については図２の場合と同様であるので、その説明は省略する。なお、照明器具３０はセンサ１９の周囲を照明可能であるものとする。
【００３４】
図５はこの場合の処理内容を示す図である。図５を参照して、まずセンサ１９からの異常検出の入力があったとき（Ｓ２１）、センサ１９の近傍を監視している監視カメラ１１を作動させる（Ｓ２２）。次いで画像を撮影し、登録されたメールアドレスに画像を送信する（Ｓ２３、Ｓ２４）。
【００３５】
センサ１９からの異常信号に応答して、監視カメラ１１の撮影した画像を所定の外部の携帯電話２０に送信するため、センサ１９を用いて不法侵入者などを監視することができる。
【００３６】
なお、監視カメラはあらかじめ指定した方向に向けることが可能であるものとする。すなわち、携帯電話２０からの上下、左右への移動指示により監視カメラの向きの変更が可能である。
【００３７】
また、監視カメラ１１によって時系列に複数の画像を撮影してメモリ１３に格納し、それらの画像から被監視物の動き検出を行ってもよい。そしてその結果に基づいて動きがあると判断したとき、所定のメールアドレスへ送信するようにしても良い。
【００３８】
上記実施の形態ではインターネットを経由して交信を行った場合について説明したが、これに限らず、任意のディジタル移動体通信網を介して通信を行っても良い。
【００３９】
上記実施の形態においては、受信は外部の携帯電話で行った例について説明したが、これに限らず、携帯電話以外、すなわちインターネット接続のパーソナルコンピュータなどを用いても良い。
【００４０】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。そのいくつかを例示的に列挙して説明する。
【００４１】
１．前記画像伝送端末が外部の携帯電話を登録された携帯電話であることを認識できる、請求項１に記載の遠隔監視システム。
【００４２】
２．前記内蔵携帯電話は、前記監視カメラの撮影した画像をインターネットを介してメールの添付ファイルとして送信する、請求項１に記載の遠隔監視システム。
【００４３】
３．前記画像伝送端末を作動させる外部の携帯電話からの呼び出しは、インターネットメールにより行われる、請求項３に記載の遠隔監視システム。
【００４４】
４．所定の位置に設けられ、異常を検出して、異常信号を出力するセンサと、照明器具と、
前記照明器具に取り付けられ、前記異常信号に応答して、前記センサの近傍を撮影する監視カメラおよび内蔵携帯電話とを含み、
前記内蔵携帯電話は、前記異常信号に応答して、前記監視カメラの撮影した画像を所定の外部の携帯電話に送信する、遠隔監視システム。
【図面の簡単な説明】
【図１】遠隔監視システムの概念を示す模式図である。
【図２】画像伝送端末の構成を示すブロック図である。
【図３】遠隔監視システムの動作を説明するフローチャートである。
【図４】遠隔監視システムの他の実施の形態における構成を示すブロック図である。
【図５】遠隔監視システムの他の実施の形態における動作を説明するフローチャートである。
【符号の説明】１０　画像伝送端末、１１　監視カメラ、１２　コントロールロジック、１３　メモリ、１４　メモリカードインターフェイス、１５　内蔵携帯電話、１６　照明オン／オフリレー、１７　コントロールマイコン、１８メモリカード、１９　センサ、２０　携帯電話、３０　照明器具
【図１】
2004096443.tif 000003
【図２】
2004096443.tif 000004
【図３】
2004096443.tif 000005
【図４】
2004096443.tif 000006
【図５】
2004096443.tif 000007